(57)【要約】【課題】大型の表示部を備え、かつ、省スペース化された拡大観察装置を提供する。【解決手段】表示部２は、その表示面が８５°から４５°の範囲で、所定の角度となるように、フレーム部４０、連結部４２およびベース部４４とからなる支持部に支持される。連結部４２は、所定の範囲内で自在に回転できるように、フレーム部４０とベース部４４とを所定の回転軸を中心に連結する。処理制御部４は、背面側から表示部２と接合するように一体化して設けられる。表示部２は、少なくとも処理制御部４が必要とする面内方向における面積と同等の面積をもつことができる。また、必要とされる底面積は、表示面の傾斜角に応じて決まり、表示部２が全くの水平となるように構成される場合に比べて、小さい面積で済む。【選択図】図２
2006254425.tif 000002
【特許請求の範囲】
【請求項１】
画像を表示する表示部と、
対象物を拡大して撮影し画像信号として出力するカメラ部と、
前記画像信号を受けて取得した画像を前記表示部に表示させる処理制御部と、
前記表示部および前記処理制御部を支持する支持部と、
外部からの指令を受付ける入力部とを備え、
前記処理制御部は、
前記表示部の表示面と反対の面に接合するように配置され、
前記入力部から受けた前記指令に応じて、前記画像信号を受けて取得した画像を変換する画像処理部と、
前記処理制御部を覆うカバー部とを含み、
前記支持部は、
載置するための平面もしくは平面を構成する複数の点および／または面を有するベース面を含み、
前記表示部の表示面が前記平面の方向に対して、起き上がり角度が８５°以下かつ４５°以上となるように前記表示部を支持し、
前記ベース面は、その面積が前記表示部の表示面の面積よりも小さく構成される、拡大観察装置。
【請求項２】
前記処理制御部は、前記表示面に対する投影断面が前記表示部の外枠内となるように構成される、請求項１に記載の拡大観察装置。
【請求項３】
前記カメラ部は、撮影時における照度を確保するための光源を含み、
前記処理制御部は、前記カメラ部における前記光源を駆動するための電力を供給する照明制御部をさらに含む、請求項１または２に記載の拡大観察装置。
【請求項４】
前記処理制御部は、前記処理制御部を構成する発熱部品と接合され、かつ、前記表示部の表示面と平行となるように配置される伝熱部をさらに含み、
前記カバー部は、前記伝熱部に蓄えられた熱が放熱するための開口部を含む、請求項１〜３のいずれか１項に記載の拡大観察装置。
【請求項５】
前記支持部は、
前記表示部および／または前記処理制御部を固定するフレーム部と、
前記フレーム部と前記ベース部とを所定の回転軸を中心に連結する連結部とをさらに含み、
前記フレーム部と前記ベース部とのなす角度は、所定の範囲内で任意に変更できる、請求項１〜４のいずれか１項に記載の拡大観察装置。
【請求項６】
前記フレーム部によって保持される前記表示部および／または前記処理制御部は、四角形状に構成され、
前記フレーム部は、コの字部材からなり、
前記コの字部材は、
前記表示部および／または前記処理制御部の四角形状の一辺を保持する第１の側方保持部材と、
当該一辺と向かい合う他辺を保持する第２の側方保持部材と、
前記表示部および／または前記処理制御部に対して所定の間隔を保ちつつ、前記第１および第２の側方保持部材に接続され、持ち運びされるためのハンドル部材とからなり、
前記連結部は、前記フレーム部における前記ハンドル部材に対して反対側の端部に配置される、請求項５に記載の拡大観察装置。
【請求項７】
前記連結部は、前記フレーム部と前記ベース部とが略平行になるまで回転可能で、
前記フレーム部と前記ベース部とが略平行となった場合において、前記ベース部が配置される平面と前記処理制御部、フレーム部もしくは前記表示部の前記表示面の反対の面との間に、前記ベース部と干渉しないようにスペーサーを取り付ける手段をさらに備える、請求項５に記載の拡大観察装置。
【請求項８】
前記外部からの指令を無線信号を介して前記入力部へ与える遠隔操作部をさらに備える、請求項１〜７のいずれか１項に記載の拡大観察装置。
【請求項９】
前記遠隔操作部を収納する収納部をさらに備える、請求項８に記載の拡大観察装置。
【請求項１０】
前記表示部の表示面を保護するための表面保護部をさらに備える、請求項１〜９のいずれか１項に記載の拡大観察装置。
【請求項１１】
前記処理制御部は、
記録媒体を接続するインターフェイス部と、
前記カメラ部において撮影された画像を前記記録媒体へ格納する画像格納手段とをさらに含む、請求項１〜１０のいずれか１項に記載の拡大観察装置。
【請求項１２】
前記カメラ部は、前記処理制御部とコネクタ接続されたケーブルを介して接続され、
前記処理制御部は、前記ケーブルのコネクタの厚さより深い切欠部において、前記ケーブルと接続される、請求項１〜１１のいずれか１項に記載の拡大観察装置。
【発明の詳細な説明】
【技術分野】
【０００１】
この発明は対象物を拡大して観察するための拡大観察装置に関し、特に画像を表示する大型の表示部をもち、かつ、省スペース化を図った拡大観察装置に関するものである。
【背景技術】
【０００２】
近年、製造現場や研究施設などにおいて、従来の顕微鏡に代えて、拡大観察装置の普及が進んでいる。拡大観察装置は、カメラで対象物の拡大画像を撮影し、その撮影された拡大画像をモニター上に表示する装置である。
【０００３】
拡大観察装置は、従来の顕微鏡に比較して、被写体までの距離が長いこと、拡大画像を多くのユーザが同時に観察できること、デジタル情報として記録できることなどの長所を備える。
【０００４】
ところで、さまざまな場所に置いてある製品を順次検査する場合などを想定すると、各々の製品が置かれている場所に移動して検査する必要があるため、拡大観察装置は、可能な限り省スペースであることが望ましい。
【０００５】
そのため、たとえば、特許文献１に開示されるように、いわゆるラップトップ型で構成された拡大観察装置が一般的となっている。
【０００６】
図１２は、従来の拡大監視装置２００の外観図である。
図１２を参照して、従来の拡大監視装置２００は、カメラ部９４と、処理制御部９２と、表示部９０と、画像用ケーブル９６と、照明用光ケーブル９８とからなる。
【０００７】
カメラ部９４は、処理制御部９２から受けた照明用の光を対象物に照射し、その反射光をＣＣＤ（Charge Coupled Devices）などを用いて電気信号に変換し、処理制御部９２へ出力する。
【０００８】
処理制御部９２は、画像用ケーブル９６を介してカメラ部９４から受けた電気信号から画像を生成し表示部９０へ出力する。また、処理制御部９２は、内蔵している光源から発生させた照明用の光を照明用光ケーブル９８を介してカメラ部９４へ与える。さらに、処理制御部９２は、表示部９０と略一致する大きさの切欠き部を有しており、可倒式の表示部９０を格納できるように構成される。
【０００９】
表示部９０は、処理制御部９２から受けた画像を表示する。
上述のように、ラップトップ型に構成することで、表示部と処理制御部とを一体の箱型形状にできるので、省スペース化された拡大観察装置を実現できる。
【特許文献１】特開平１１−１６４２９３号公報
【発明の開示】
【発明が解決しようとする課題】
【００１０】
ところで、作業効率および観察精度を向上させるためには、表示部は可能な限り大きいことが望ましい。すなわち、表示部が大きくなることで、同一の画像で比較すると、実質的に拡大率が向上し、また、同一の拡大率で比較すると、観察範囲が拡大する。そのため、表示部を可能な限り大きくしたいというニーズが高い。
【００１１】
しかしながら、従来のラップトップ型の拡大観察装置では、表示部が処理制御部に格納される構成であるため、表示部の面積は、処理制御部の底面積以下である必要があった。そのため、表示部を大きくしようとすると、それに伴い処理制御部も大きくならざるを得なかった。
【００１２】
すなわち、表示部を大きくすることと、省スペース化を図ることとは、トレードオフの関係となり、両方を満足させる拡大観察装置を実現することは困難であった。
【００１３】
そこで、この発明は、かかる問題を解決するためになされたものであり、その目的は、大型の表示部を備え、かつ、省スペース化された拡大観察装置を提供することである。
【課題を解決するための手段】
【００１４】
この発明によれば、画像を表示する表示部と、対象物を拡大して撮影し画像信号として出力するカメラ部と、画像信号を受けて取得した画像を表示部に表示させる処理制御部と、表示部および処理制御部を支持する支持部と、外部からの指令を受付ける入力部とを備えた拡大観察装置である。そして、処理制御部は、表示部の表示面と反対の面に接合するように配置され、入力部から受けた指令に応じて、画像信号を受けて取得した画像を変換する画像処理部と、処理制御部を覆うカバー部とを含む。さらに、支持部は、載置するための平面もしくは平面を構成する複数の点および／または面を有するベース面を含み、表示部の表示面が平面の方向に対して、起き上がり角度が８５°以下かつ４５°以上となるように表示部を支持し、ベース面は、その面積が表示部の表示面の面積よりも小さく構成される。
【００１５】
起き上がり角度は、表示部の表示面がベース面の上方に起き上がるようにして支持された状態において、表示面とベース面とのなす角度である。ここでいう「起き上がるようにして支持される」とは、表示部をその表示面が上向きになるように、ベース面の上部に配置された状態から、当該表示面の一端がベース面から離れる方向に上方に引き上げられることで、当該表示面がベース面に対して傾いた状態で支持されることをいう。なお、「上」とは、ベース面に対して表示部が存在する側を意味する。さらに、起き上がり角度が可変である場合には、設定可能な起き上がり角度の最大値を起き上がり角度と定義する。
【００１６】
また、ベース面の面積は、載置するための平面の実効的な面積をいい、その一部がくり抜かれた面で構成される場合や、複数の面や点で構成される場合には、その輪郭（外郭）によって規定される面積とみなすことができる。
【００１７】
この発明に係る拡大観察装置は、起き上がり角度の最大値が８５°以下に制限される一方、表示部の裏面（表示部と反対の面）に処理制御部が配置されているので、表示面の面積よりも小さな面積のベース面であっても、拡大観察装置を安定して載置することができる。
【００１８】
好ましくは、処理制御部は、表示面に対する投影断面が表示部の外枠内となるように構成される。
【００１９】
好ましくは、カメラ部は、撮影時における照度を確保するための光源を含み、
処理制御部は、カメラ部における光源を駆動するための電力を供給する照明制御部をさらに含む。
【００２０】
好ましくは、処理制御部は、処理制御部を構成する発熱部品と接合され、かつ、表示部の表示面と平行となるように配置される伝熱部をさらに含み、カバー部は、伝熱部に蓄えられた熱が放熱するための開口部を含む。
【００２１】
好ましくは、支持部は、表示部および／または制御処理部を固定するフレーム部と、フレーム部とベース部とを所定の回転軸を中心に連結する連結部とをさらに含み、フレーム部とベース部とのなす角度は、所定の範囲内で任意に変更できる。
【００２２】
好ましくは、フレーム部によって保持される表示部および／または処理制御部は、四角形状に構成される。そして、フレーム部は、コの字部材からなり、コの字部材は、表示部および／または処理制御部の四角形状の一辺を保持する第１の側方保持部材と、当該一辺と向かい合う他辺を保持する第２の側方保持部材と、表示部および／または処理制御部に対して所定の間隔を保ちつつ、第１および第２の側方保持部材に接続され、持ち運びされるためのハンドル部材とからなる。さらに、連結部は、フレーム部におけるハンドル部材に対して反対側の端部に配置される。
【００２３】
好ましくは、連結部は、フレーム部とベース部とが略平行になるまで回転可能で、フレーム部とベース部とが略平行となった場合において、ベース部が配置される平面と処理制御部、フレーム部もしくは表示部の表示面と反対の面との間に、ベース部と干渉しないようにスペーサーを取り付ける手段をさらに備える。
【００２４】
好ましくは、外部からの指令を無線信号を介して入力部へ与える遠隔操作部をさらに備える。
【００２５】
好ましくは、遠隔操作部を収納する収納部をさらに備える。
好ましくは、表示部の表示面を保護するための表面保護部をさらに備える。
【００２６】
好ましくは、処理制御部は、記録媒体を接続するインターフェイス部と、カメラ部において撮影された画像を記録媒体へ格納する画像格納手段とをさらに含む。
【００２７】
好ましくは、カメラ部は、処理制御部とコネクタ接続されたケーブルを介して接続され、処理制御部は、ケーブルのコネクタの厚さより深い切欠部において、ケーブルと接続される。
【発明の効果】
【００２８】
この発明によれば、表示部と処理制御部とは接合するように配置され、さらに、表示部の表示面が８５°から４５°の範囲でいずれかの方向となるように支持される。そのため、必要とされる底面積は、表示面の傾斜角に応じて決まり、表示部が全くの水平となるように構成される場合に比べて、小さい面積で済む。よって、大型の表示部を備え、かつ、省スペース化された拡大観察装置を実現できる。
【発明を実施するための最良の形態】
【００２９】
この発明の実施の形態について、図面を参照しながら詳細に説明する。なお、図中の同一または相当部分については、同一符号を付してその説明は繰返さない。
【００３０】
図１は、この発明の実施の形態に従う拡大観察装置１００の概略構成図である。
図１を参照して、拡大観察装置１００は、カメラ部２０と、接続ケーブル２８と、処理制御部４と、表示部２と、入力部１２と、遠隔操作部３０とからなる。
【００３１】
カメラ部２０は、ユーザによって所望する対象物に向けられる。そして、カメラ部２０は、撮影範囲にある対象物を拡大して撮影し、その信号を処理制御部４へ出力する。また、カメラ部２０は、受像部２４と、レンズ部２２と、光源２６とからなる。
【００３２】
レンズ部２２は、対象物で反射した光を所定の倍率に拡大した後、受像部２４上で結像させる。
【００３３】
受像部２４は、レンズ部２２と光学的に接続され、レンズ部２２から受けた光に応じた電気信号を生成する。受像部２４は、たとえばＣＣＤ（Charge Coupled Devices）などからなり、レンズ部２２から受けた光に応じた電荷を蓄積することで電気信号を生成する。
【００３４】
光源２６は、処理制御部４から受けた電力により照明用の光を生成し、レンズ部２２の周囲からその光を照射する。光源２６は、小型化の観点から、ＬＥＤ（Lighting Emitting Diode）などが望ましい。特に、広い波長帯域をもつ白色ＬＥＤがより望ましい。
【００３５】
接続ケーブル２８は、画像用ケーブル２８．１と照明用ケーブル２８．２とを含み、１本のケーブルとして形成される。画像用ケーブル２８．１は、受像部２４と処理制御部４とを接続し、照明用ケーブル２８．２は、光源２６と処理制御部４とを接続する。なお、拡大観察装置１００の使用環境に応じて、接続ケーブル２８は所望の長さにすることができる。
【００３６】
処理制御部４は、画像処理部６と、制御部８と、インターフェイス（Ｉ／Ｆ）部１４と、照明制御部１０とからなる。
【００３７】
画像処理部６は、受像部２４と画像用ケーブル２８．１を介して接続され、受像部２４から受けた電気信号に基づいて画像信号を生成する。そして、画像処理部６は、生成した
画像信号を制御部８からの制御指令に応じて変換する。たとえば、画像処理部６は、コントラスト、色補正、明るさ、輪郭強調およびノイズ除去などの変換処理を行う。さらに、画像処理部６は、変換した画像信号を表示部２へ出力する。また、画像処理部６は、制御部８からの制御指令に応じて、画像信号をデジタルデータに変換し、制御部８へ出力する。
【００３８】
制御部８は、入力部１２から受けたユーザからの指令に応じて、画像処理部６、照明制御部１０およびインターフェイス部１４に対して制御指令を与える。また、制御部８は、入力部１２から受けたユーザからの指令に応じて、表示部２にＧＵＩ（Graphical User Interface）画面を表示させるためのＧＵＩデータを画像処理部６へ出力する。
【００３９】
インターフェイス部１４は、記録媒体３２を処理制御部４へ接続させる。そして、インターフェイス部１４は、制御部８からの制御指令を受けて、画像処理部６が変換したデジタルデータや設定データを記録媒体３２へ格納する。さらに、インターフェイス部１４は、制御部８からの制御指令を受けて、記録媒体３２に格納されている画像のデジタルデータや設定データなどを読出し、制御部８へ出力する。インターフェイス部１４は、たとえば、ＰＣカード（ＰＣＭＣＩＡ：Personal Computer Memory Card International Association），ＵＳＢ（Universal Serial Bus），ＩＥＥＥ１３９４（Institute of Electrical and Electronic Engineers 1394），ＳＣＳＩ（Small Computer System Interface）
などからなる。
【００４０】
なお、画像処理部６と、制御部８とは、画像格納手段を実現する。
照明制御部１０は、制御部８からの制御指令に応じて、カメラ部２０の光源２６に対して供給する電力を制御する。たとえば、光源２６が複数のブロック単位で回路を備えている場合には、照明制御部１０は、それらの回路のうち、いずれの回路へ電力を供給するかを制御し、また、単一の回路しか存在しない場合には、照明制御部１０は、その供給電圧を制御する。
【００４１】
表示部２は、処理制御部４から画像信号を受けて画像を表示する。そして、表示部２は、たとえば、液晶ディスプレイ、プラズマディスプレイおよび有機ＥＬ（Electro Luminescence）ディスプレイなどからなる。
【００４２】
入力部１２は、遠隔操作部３０から無線信号を介して受信するユーザからの指令を受けて、制御部８へ出力する。一般的に拡大観察装置には、マウスなどにより指令を与えるものが多いが、マウスを用いる場合には、指令を与えるためにマウス動作をさせる場所が必要となる。一方、無線信号を介した遠隔操作、たとえば、電波や光によるリモコンを用いることにより、使用時における現場での設置面積をより小さくできる。
【００４３】
なお、入力部１２は、無線信号に限らず、ケーブルなどで接続された遠隔操作部による指令や、処理制御部４の表面や表示部２の表示面周辺に配置されたスイッチや押しボタンなどによる指令を受ける構成としてもよい。
【００４４】
さらに、表示部２の表示面に形成されたタッチパネルにより入力部１２を構成することもできる。但し、このような場合には、表示部２のぐらつきや転倒を防止するため、表示面の傾斜角度を固定とすることや、後述する支持部をより安定化させることなどに留意する必要がある。
【００４５】
遠隔操作部３０は、ユーザが指令を入力するためのボタンやカーソルなどを備える。そして、遠隔操作部３０は、赤外線や電波などの無線信号を介して、ユーザから与えられた
指令を入力部１２へ送信する。
【００４６】
記録媒体３２は、固定的にデジタルデータを担持する媒体であり、たとえば、フラッシュメモリカード、ＳＤメモリカード、ＩＣメモリカードなどの半導体メモリなどからなる。また、記録媒体３２は、フレキシブルディスク、カセットテープ、光ディスク（ＭＯ（Magnetic Optical Disc）／ＭＤ（Mini Disc）／ＤＶＤ（Digital Versatile Disc）−ＲＯＭ／ＲＡＭ／Ｒ／ＲＷ）、光カード、マスクＲＯＭ、ＥＰＲＯＭおよびＥＥＰＲＯＭなどでもよい。
【００４７】
上述のように、拡大観察装置１００は、照明用の光をカメラ部２０に含まれる光源２６により生成するので、従来の拡大観察装置のように、処理制御部に含まれる光源により生成した光を光ファイバを介してカメラ部へ与える必要がない。そのため、処理制御部４を小型化でき、さらに、表示部４の背面への配置を実現できる。
【００４８】
（拡大観察装置の構造）
図２は、この発明の実施の形態に従う拡大観察装置１００の外観図である。なお、カメラ部２０については、理解を容易にするため、その断面図を示す。
【００４９】
図２を参照して、表示部２は、その表示面が最大起き上がり角度が７７°で、任意の角度となるように、フレーム部４０、連結部４２およびベース部４４とからなる支持部に支持される。そして、支持部の上部には、ハンドル部４５が設けられる。なお、省スペースおよび載置時の安定性の観点から、表示部２は、起き上がり角度を９０°未満かつ４５°以上とすることがよく、より好ましくは、起き上がり角度を８５°以下かつ４５°以上の任意の角度となることが望ましい。
【００５０】
フレーム部４０は、表示部２の両側を支持するように表示部２を固定する。なお、フレーム４０は、処理制御部４の両側、または、表示部２および処理制御部４の両側を固定するように構成してもよい。
【００５１】
ベース部４４は、「コ」の字形状の枠であり、水平面に配置される。
連結部４２は、フレーム部４０とベース部４４とが所定の角度範囲内で自在に回転できるように、所定の回転軸を中心に連結する。この構造により、起き上がり角度が可変となるので、上述の起き上がり角度の範囲は、可変設定可能な起き上がり角度の最大値までの範囲を意味する。
【００５２】
ハンドル部４５は、表示部２および処理制御部４と所定の間隔を保ちながら、フレーム部４０の上部側と接続され、拡大観察装置１００が持ち運びされるための「持ち手」として機能する。すなわち、表示部２および処理制御部４とハンドル部４５との間に存在する間隙が持ち手として機能する。
【００５３】
上述したように、この発明の実施の形態においては、ハンドル部４５は、フレーム部４０と一体的に成型され、「コ」の字部材を構成する。そのため、フレーム部４０およびハンドル部４５は、互いに協働して、表示部２および処理制御部４を保持する一方、拡大観察装置１００が持ち運びされるための「持ち手」として機能する。
【００５４】
なお、この発明の実施の形態以外の形態として、ハンドル部４５をフレーム部４０と分離して設けてもよい。
【００５５】
なお、以下の説明では、表示部２の表示面が存在する側を、拡大観察装置１００の「前面」とも称し、表示部２の表示面が存在しない側を、拡大観察装置１００の「背面」とも称す。
【００５６】
そして、処理制御部４は、拡大観察装置１００の背面側から表示部２と接合するように一体化して設けられる。そのため、少なくとも処理制御部４が必要とする面内方向における面積と同等の面積をもつ表示部２を設けることができる。
【００５７】
すなわち、従来のラップトップ型の拡大観察装置における表示部は、処理制御部の底面積より大きくすることができなかったが、拡大観察装置１００における表示部２は、少なくとも表示面に対する処理制御部４の投影断面と同等の面積をもつように構成できる。
【００５８】
したがって、表示部２を大型化する観点からは、表示部２が処理制御部４の面内方向における面積以上であること、すなわち、処理制御部４は、表示面に対する投影断面が表示部２の外枠内となるように構成されることが望ましい。
【００５９】
図３は、この発明の実施の形態に従う拡大観察装置１００の右背面における外観図である。
【００６０】
図４は、この発明の実施の形態に従う拡大観察装置１００の左背面における外観図である。
【００６１】
なお、図３および図４においては、理解を容易にするために、カメラ部２０および接続ケーブル２８が接続されていない状態を示す。
【００６２】
図３を参照して、インターフェイス部１４は、表示面に対して右側面に配置され、右側からカード型の記録媒体３２が挿入される。
【００６３】
図３および図４を参照して、処理制御部４は、遠隔操作部３０を格納するための収納部４６が設けられる。収納部４６を設けることで、遠隔操作部３０の紛失を抑制し、さらに、拡大観察装置１００を使用しない場合における収納性を向上させることができる。
【００６４】
（内部冷却）
図３および図４を参照して、処理制御部４には、内部冷却を目的として開口部４８および５０が形成される。開口部４８は、処理制御部４の上部に設けられ、開口部５０は、処理制御部４の下部に設けられる。
【００６５】
図５は、この発明の実施の形態に従う拡大観察装置１００の組立図である。
図５を参照して、拡大観察装置１００は、前面側から、表示部２、フレーム部４０、シールド板６２、回路基板６４、構成部品６６、伝熱板６８および背面カバー部７０の順に構成される。そして、シールド板６２と、回路基板６４と、構成部品６６と、伝熱板６８と、背面カバー部７０とは、処理制御部４を構成する。
【００６６】
表示部２およびフレーム部４０については、上述したので同様の説明は繰返さない。
シールド板６２は、高周波のノイズ等の侵入を抑制し、誤動作を防止するため、導電率および透磁率の高い物質で構成される。
【００６７】
回路基板６４は、構成部品６６が配置され、それらを互いに接続して回路を構成する。
構成部品６６は、ＣＰＵ（Central Processing Unit）やＤＳＰ（Digital Signal Processor）などの集積回路、レギュレータ、ドライバーおよびノイズフィルタなどを含み、
回路基板６４上に配置される。
【００６８】
伝熱板６８は、伝熱率の高い物質で構成され、放熱性を向上させるために上部に複数の孔が設けられる。そして、伝熱板６８は、構成部品６６の中で、ＣＰＵやレギュレータなどの発熱部品と接合するように配置され、発熱部品が生じた熱を自己に伝達させる。なお、拡大観察装置１００においては、伝熱板６８が背面側のシールド機能も兼ねている。
【００６９】
このように、伝熱板６８を表示部２の表示面と平行に配置することにより、構成部品６６に冷却ファンなどを設けた場合に比較し、より薄型化を図ることができる。それに伴っ
て、本体を載置する際に必要となるベース部４４の底面積を抑制できるため、設置場所の占有面積を小さくできる。
【００７０】
背面カバー部７０は、フレーム部４０と接合され、シールド板６２、回路基板６４、構成部品６６および伝熱板６８を固定し、ダストなどの侵入を防止する。さらに、背面カバー部７０には、開口部４８および５０が設けられ、伝熱板６８から処理制御部４の外部への放熱を促進する。
【００７１】
このように、処理制御部４の上部および下部に開口部４８および５０を形成することで、下部から上部へ向かう自然対流が発生し、処理制御部４の内部に配置された伝熱板６８を介して伝達された内部の熱が外部へ放熱される。よって、処理制御部４の内部を冷却ファンなどで強制冷却する必要がないため、処理制御部４を薄型化でき、より省スペース化を図ることができる。
【００７２】
（処理制御部とカメラ部との接続）
図４を参照して、処理制御部４には、接続ケーブル２８が接続されるための切欠部６０が設けられる。
【００７３】
図６は、接続ケーブル２８が処理制御部４と接続される状態を説明する図である。
図６を参照して、画像用ケーブル２８．１および照明用ケーブル２８．２は、それぞれ接続用のコネクタを備える。
【００７４】
一方、処理制御部４の切欠部６０には、下方に向けて受け側コネクタが設けられる。そして、接続ケーブル２８は、下方から上方に向けて処理制御部４と接続される。すなわち、接続ケーブル２８は、処理制御部４から下向きに延びてカメラ部２０へ向かうことになる。
【００７５】
そのため、接続ケーブル２８が処理制御部４の側面に接続される場合に比較して、側面における干渉がないので、より省スペース化を図ることができる。
【００７６】
図７は、図６に示す切欠部６０のＶＩＩ−ＶＩＩ線断面図である。
図７を参照して、切欠部６０は、画像用ケーブル２８．１および照明用ケーブル２８．２のコネクタの厚さより深くなるように設けられる。
【００７７】
そのため、処理制御部４の背面をなす平面上において、コネクタが突出しないので、フレーム部４０とベース部４４とが略平行となる程度まで回転した場合にも、ベース部４４とコネクタとが干渉せず、可動範囲を大きくすることができる。
【００７８】
（スペーサー取り付け）
図８は、処理制御部４にスペーサー８０を取り付ける場合を説明する図である。
【００７９】
図８を参照して、処理制御部４の上部にスペーサー８０を取り付けるためのネジ穴が設けられる。
【００８０】
スペーサー８０は、たとえば、ゴムなどの弾性体をテーパー状に形成したものであり、安定性の確保、および、衝撃の緩和を目的として取り付けられる。
【００８１】
図９は、この発明の実施の形態に従う拡大観察装置１００の側面図である。
図９（ａ）は、通常の使用状態を示す。
【００８２】
図９（ｂ）は、ベース部４４を折り畳んだ状態を示す。
図９（ａ）を参照して、フレーム部４０とベース部４４とは、使用環境に応じて、ユーザに対する視認性が良好となる角度に保持される。
【００８３】
図９（ｂ）を参照して、移動時や収納時には、フレーム部４０とベース部４４とは、略平行となるように保持される。図９（ｂ）に示す状態が、最も省スペース化できる状態である。
【００８４】
図９（ｂ）に示す状態において、ベース部４４を含む平面と処理制御部４の背面をなす平面との間には、間隔が生じる。そのため、ベース部４４を水平面に配置した状態、すなわち、図９（ｂ）を時計回りに９０°回転した状態において、処理制御部４は水平面に接しないので、拡大観察装置１００は、不安定となる。さらに、装置全体のぐらつきにより、処理制御部４に衝撃が加わることも予想される。
【００８５】
そこで、スペーサー８０を処理制御部４に取り付け、拡大観察装置１００を安定させる。そのため、スペーサー８０は、ベース部４４を含む平面と処理制御部４の背面をなす平面との間に間隔が生じないようにその長さが設定される。また、スペーサー８０は、安定性を確保するため２箇所または４箇所に取り付けられることが望ましい。
【００８６】
このように、処理制御部４にスペーサー８０を取り付けることで、ベース部４４が折り畳まれた状態における安定性を向上させ、処理制御部４の破損を防止することができる。
【００８７】
なお、上述の説明では、処理制御部４の背面カバー部７０にスペーサー８０を取り付ける場合について説明したが、処理制御部４に限らず、フレーム部４０やハンドル部４５などの拡大観察装置１００の背面で、かつ、ベース部４４と干渉を生じない場所であれば、いずれに取り付けてもよい。
【００８８】
（表示面の保護）
図１０は、表示部２の表示面を保護するための表面保護部８４を取り付ける場合を説明する図である。
【００８９】
図１０を参照して、表面保護部８４は、表示部２を覆うように形成され、表示部２の上部を支点にして吊り下げるように配置される。そして、表面保護部８４は、運搬時などにおいて外部からの衝撃で表示面が破損するのを防止する。また、表面保護部８４は、表示面へのダスト等の付着を抑制する。
【００９０】
（ユーザによる操作）
図１を参照して、ユーザは、遠隔操作部３０を用いて、拡大監視装置１００に指令を与える。その際、拡大監視装置１００は、ユーザに対して指令に対する応答や現在の状態を表示する必要がある。そのため、制御部８は、入力部１２を介してユーザからの指令を受けると、画像処理部６にＧＵＩデータを出力し、表示部２にＧＵＩ画面を表示させる。
【００９１】
図１１は、ＧＵＩ画面の一例を示す図である。
図１１を参照して、ユーザが設定操作をするための要求を与えると、制御部８は、タブ形式のＧＵＩ画面を表示する。たとえば、第１のタブには、画質調整用のＧＵＩ画面が割
付けてあり、制御部８は、「設定値読出」および「設定値保存」の処理を行う項目と、「ガンマ」「エッジ強調」「色強調」および「色補正」などの画質調整を行う項目とを表示する。また、制御部８は、画質調整を行う項目には、各々の現在値を表示する。
【００９２】
そして、制御部８は、ユーザが「設定値読出」を選択すると、記録媒体３２などに格納されている既存の設定値を読出して適用する。また、制御部８は、ユーザが、「設定値保存」を選択すると、現在の設定値を記録媒体３２などへ格納する。
【００９３】
また、制御部８は、ユーザが画質調整を行う項目のいずれかを選択すると、その選択された項目を展開し、選択可能な設定値の選択画面を表示する。そして、制御部８は、ユーザがいずれかの設定値を選択すると、その選択された設定値を適用する。
【００９４】
上述のように、制御部８は、ユーザと対話するようにＧＵＩ画面を表示する。そのため、拡大観察装置１００は、ユーザからの指令を受付けるための押しボタンやカーソルなどをその表面に設ける必要がなく、より省スペース化を図ることができる。
【００９５】
この発明の実施の形態によれば、表示部と処理制御部とは接合するよう一体化され、さらに、表示部の表示面が水平面に対して所定の傾斜角を持つように支持される。そのため、必要とされる底面積は、表示面の傾斜角に応じて決まり、表示面が全くの水平となるように構成される場合に比べて、小さい面積で済む。よって、大型の表示部を備え、かつ、省スペース化された拡大観察装置を実現できる。
【００９６】
また、この発明の実施の形態によれば、カメラ部が処理制御部からの電力を受けて照明光を生成するので、処理制御部の内部に光源が不要となる。よって、処理制御部を薄型化することができ、表示部と一体化しても省スペース化を実現できる。
【００９７】
また、この発明の実施の形態によれば、処理制御部は、表示面と平行となるように配置された伝熱部を介して内部に発生する熱を外部へ放熱するので、強制冷却するためのファンなどが不要となる。よって、処理制御部を薄型化することができ、表示部と一体化されても省スペース化を実現できる。
【００９８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【００９９】
【図１】この発明の実施の形態に従う拡大観察装置の概略構成図である。
【図２】この発明の実施の形態に従う拡大観察装置の外観図である。
【図３】この発明の実施の形態に従う拡大観察装置の右背面における外観図である。
【図４】この発明の実施の形態に従う拡大観察装置の左背面における外観図である。
【図５】この発明の実施の形態に従う拡大観察装置の組立図である。
【図６】接続ケーブルが処理制御部と接続される状態を説明する図である。
【図７】図６に示す切欠部のＶＩＩ−ＶＩＩ線断面図である。
【図８】処理制御部にスペーサーを取り付ける場合を説明する図である。
【図９】この発明の実施の形態に従う拡大観察装置の側面図である。
【図１０】表示部の表示面を保護するための表面保護部を取り付ける場合を説明する図である。
【図１１】ＧＵＩ画面の一例を示す図である。
【図１２】従来の拡大監視装置の外観図である。
【符号の説明】
【０１００】
２  表示部、４  処理制御部、６  画像処理部、８  制御部、１０  照明制御部、１２
入力部、１４  インターフェイス（Ｉ／Ｆ）部、２０  カメラ部、２２  レンズ部、２４  受像部、２６  光源、２８  接続ケーブル、２８．１  画像用ケーブル、２８．２  照明用ケーブル、３０  遠隔操作部、３２  記録媒体、４０  フレーム部、４２  連結部、４４  ベース部、４５  ハンドル部、４６  収納部、４８，５０  開口部、６０  切欠部、６２  シールド板、６４  回路基板、６６  構成部品、６８  伝熱板、７０  背面カバー部、８０  スペーサー、８４  表面保護部、９０  表示部、９２  処理制御部、９４
カメラ部、９６  画像用ケーブル、９８  照明用光ケーブル、１００，２００  拡大監視装置。
【図１】
2006254425.tif 000003
【図２】
2006254425.tif 000004
【図３】
2006254425.tif 000005
【図４】
2006254425.tif 000006
【図５】
2006254425.tif 000007
【図６】
2006254425.tif 000008
【図７】
2006254425.tif 000009
【図８】
2006254425.tif 000010
【図９】
2006254425.tif 000011
【図１０】
2006254425.tif 000012
【図１１】
2006254425.tif 000013
【図１２】
2006254425.tif 000014